(57)【要約】【課題】    クレセント錠の台座を固定するビスを容易に操作可能で、部品点数の削減および外観意匠性の向上を図ることができる錠装置および建具を提供すること。【解決手段】台座１３および解錠位置にある鎌錠１４を覆うカバー部材１６を有してクレセント錠１１が構成され、閉位置にある１つのカバー部材１６で台座１３の略全体を覆うことができるので、部品点数を削減することができるとともに、カバー部材１６を開位置に開くだけで、複数の固定ビス１９を容易に操作することができ、クレセント錠１１の取り付けや位置調整の作業性を向上させることができる。さらに、台座１３や鎌錠１４とカバー部材１６との材質が異なっていても、台座１３や鎌錠１４が見えないので、カバー部材１６の質感や色によってクレセント錠１１の外観を決定することができ、錠装置および建具の意匠性を向上させることができる。【選択図】  図４
2007070826.tif 000002
【特許請求の範囲】
【請求項１】
スライド開閉可能な障子を備えた建具における室内側の召合せ部に固定されたクレセント錠と、室外側の召合せ部に固定された錠受けとの係合により当該建具を施錠する錠装置であって、
前記クレセント錠は、前記室内側召合せ部にビス止め固定される台座と、この台座に支持されて前記錠受けに係合する施錠位置と係合しない解錠位置との間を回動自在に設けられた鎌錠と、この鎌錠を回動操作するための操作部と、前記台座および解錠位置にある鎌錠を覆うカバー部とを有して構成され、
前記カバー部は、前記台座を覆う第１位置と、当該台座の固定ビスを露出させてビス操作可能にする第２位置との間を回動可能に構成されている錠装置。
【請求項２】
前記クレセント錠は、前記台座および鎌錠を挟んで前記カバー部と反対側に位置する副カバー部を有して構成され、この副カバー部と前記カバー部との間には、前記鎌錠から延びて前記操作部に連結される連結部を挿通させる隙間が形成され、
前記カバー部は、前記第１位置と前記第２位置との間を回動自在に前記副カバー部に支持されている請求項１に記載の錠装置。
【請求項３】
前記カバー部と副カバー部との間には、前記隙間の内側に沿った中間部材が前記台座に取り付けられ、
前記カバー部、副カバー部、中間部材および前記操作部は、それぞれ樹脂材料から形成されている請求項２に記載の錠装置。
【請求項４】
前記カバー部は、前記第１位置において前記台座、前記副カバー部および前記中間部材の少なくとも１つに係止される請求項３に記載の錠装置。
【請求項５】
左右または上下にスライド開閉可能な少なくとも１枚の障子を備え、この障子の召合せ框と、他の障子の召合せ框または他の召合せ部とが見込み方向に重なって閉じる建具であって、
請求項１から請求項４のいずれかに記載の錠装置によって施錠可能に構成された建具。
【発明の詳細な説明】
【技術分野】
【０００１】
本発明は、錠装置および建具に関し、詳しくは、スライド開閉可能な障子を備えた建具における室内側の召合せ部に固定されたクレセント錠と、室外側の召合せ部に固定された錠受けとの係合により建具を施錠する錠装置、およびこの錠装置を備えた建具に関する。
【背景技術】
【０００２】
従来、引違い窓や片引き窓等の建具を施錠するための錠装置として内外の召合せ框に設けられるクレセント錠および錠受けを備えたものが一般的である（例えば、特許文献１参照）。このような錠装置のクレセント錠は、内召合せ框にビス止め固定される台座と、この台座に回動自在に設けられた鎌錠（カムラッチ）とを備え、この鎌錠が錠受けに係合することで建具が施錠できるようになっている。そして、特許文献１に記載されたクレセント錠では、台座における内召合せ框にビス止め固定される部分およびビス（ねじ）がビスカバーによって覆われ、このビスカバーをスライドさせることでビスが操作可能になっている。
【０００３】
【特許文献１】特許第２６４０９１７号公報
【発明の開示】
【発明が解決しようとする課題】
【０００４】
しかしながら、特許文献１に記載された従来のクレセント錠では、台座を固定するための少なくとも２つのビスに対して各々ビスカバーが必要になるため、ビスを着脱したり緩めて台座位置を調整したりする際に、２箇所のビスカバーをスライドさせる必要があり作業性が悪く、また部品点数も増加してしまうという問題がある。
さらに、従来のクレセント錠では、台座や鎌錠、ノブ等は、強度が必要とされるため金属製であるのに対して、ビスカバーは樹脂製であることが多く、台座とビスカバーとの質感が異なってしまうとともに、鎌錠部分は錠受けに係合することから塗装できず金属色となり、この鎌錠と台座およびビスカバーとの色合いを合わせることができないため、外観意匠性が劣るという問題もある。
【０００５】
本発明の目的は、クレセント錠の台座を固定するビスを容易に操作可能で、部品点数の削減および外観意匠性の向上を図ることができる錠装置および建具を提供することにある。
【課題を解決するための手段】
【０００６】
本発明の錠装置は、スライド開閉可能な障子を備えた建具における室内側の召合せ部に固定されたクレセント錠と、室外側の召合せ部に固定された錠受けとの係合により当該建具を施錠する錠装置であって、前記クレセント錠は、前記室内側召合せ部にビス止め固定される台座と、この台座に支持されて前記錠受けに係合する施錠位置と係合しない解錠位置との間を回動自在に設けられた鎌錠と、この鎌錠を回動操作するための操作部と、前記台座および解錠位置にある鎌錠を覆うカバー部とを有して構成され、前記カバー部は、前記台座を覆う第１位置と、当該台座の固定ビスを露出させてビス操作可能にする第２位置との間を回動可能に構成されていることを特徴とする。
【０００７】
ここで、第１位置としては、カバー部が台座に対向してその側面を覆い固定ビスが操作不能とされた閉位置であり、建具の通常使用状態においてカバー部が配置されている位置である。また、第２位置としては、少なくとも台座の一部である固定ビスによる固定部が露出され、固定ビスが操作可能となる開位置であり、クレセント錠の着脱時や位置調整時にカバー部が移動される位置である。
以上の本発明によれば、クレセント錠が台座および解錠位置にある鎌錠を覆うカバー部を有して構成されているので、従来のビスカバーのように複数のビス位置を個々に覆う必要がなく、第１位置に位置した１つのカバー部で略全体を覆うことができて部品点数を削減することができる。さらに、このカバー部を第２位置に回動させるだけで、複数のビスを容易に操作することができ、クレセント錠の取り付けや位置調整の作業性を向上させることができる。
また、クレセントはカバー部で略全体が覆われるので、外観上、台座や鎌錠が見えなくなり、これらの部材とカバー部との材質や塗装色等が異なる場合でも、質感や色の違いが分からず、カバー部の質感や色によってクレセント錠の外観を決定することができ、意匠性を向上させることができる。また、鎌錠のような複雑な形状をした部材が見えなくなることで、建具としての意匠性向上も図ることができる。
【０００８】
この際、本発明の錠装置では、前記クレセント錠は、前記台座および鎌錠を挟んで前記カバー部と反対側に位置する副カバー部を有して構成され、この副カバー部と前記カバー部との間には、前記鎌錠から延びて前記操作部に連結される連結部を挿通させる隙間が形成され、前記カバー部は、前記第１位置と前記第２位置との間を回動自在に前記副カバー部に支持されていることが好ましい。
このような構成によれば、クレセント錠におけるカバー部と副カバー部との隙間を通して鎌錠からの連結部を延ばすことで、鎌錠や台座が一層見えにくくなって、意匠性をさらに向上させることができる。すなわち、カバー部と副カバー部との隙間寸法を、連結部が挿通可能な最小限の寸法に設定しておけばよく、このように構成することで隙間を通してカバー部の内部がほとんど見えないようにできる。
さらに、カバー部が副カバー部に回動自在に支持されているので、カバー部を第２位置側に開くだけで容易にビス操作可能になり、クレセント錠の取り付けや位置調整の作業性をさらに向上させることができる。
【０００９】
また、本発明の錠装置では、前記カバー部と副カバー部との間には、前記隙間の内側に沿った中間部材が前記台座に取り付けられ、前記カバー部、副カバー部、中間部材および前記操作部は、それぞれ樹脂材料から形成されていることが好ましい。
このような構成によれば、カバー部と副カバー部との隙間の内側に中間部材を設けたことで、隙間を通して内部を覗いた場合に鎌錠や台座を中間部材で隠すことができる。さらに、この中間部材、およびクレセント錠の外面に露出するカバー部、副カバー部、操作部を樹脂材料から形成したことで、この樹脂材料を共通化すれば、外側から見える可能性のある部分のほとんど全てを同一の質感および色に統一することができ、クレセント錠の意匠性を飛躍的に向上させることができる。
【００１０】
さらに、本発明の錠装置では、前記カバー部は、前記第１位置において前記台座、前記副カバー部および前記中間部材の少なくとも１つに係止されることが好ましい。
このような構成によれば、第１位置つまりカバー部を閉じた状態において、カバー部が不用意に移動する（開く）ことが防止でき、ビス操作が必要な時にだけ係止を外してカバー部を第２位置に開くことができる。
【００１１】
一方、本発明の建具は、左右または上下にスライド開閉可能な少なくとも１枚の障子を備え、この障子の召合せ框と、他の障子の召合せ框または他の召合せ部とが見込み方向に重なって閉じる建具であって、前記したいずれかの錠装置によって施錠可能に構成されたことを特徴とする。
このような建具によれば、前述の錠装置による効果と同様に、クレセント錠の部品点数を削減することができるとともに、クレセント錠の取り付けや位置調整の作業性を向上させることができる。さらに、クレセント錠の外観意匠性を向上させることができるとともに、カバー部の色を建具に合わせる等すれば、建具の意匠性向上も図ることができる。
ここで、本発明の建具としては、引違い窓や片引き窓、上げ下げ窓等のサッシ窓であってもよく、引違い形式や片引き形式の引き戸であってもよい。そして、建具が引違い窓や引違い戸である場合には、一対（二枚）の障子を有したものでもよく、また三枚以上の障子を有したもの（例えば、三枚建ての窓や戸、四枚建ての窓や戸）でもよい。また、建具が片引き窓や片引き戸である場合には、障子（可動障子や戸）の框材（召合せ框）と、これらの室外側または室内側にて建物や枠体に固定された固定障子や袖壁、縦骨等とが、見込み方向に重なって障子が閉じる、すなわち固定障子の框材で他の障子の召合せ框が構成され、袖壁の縁部や縦骨等で他の召合せ部が構成されていればよい。
【発明を実施するための最良の形態】
【００１２】
以下、本発明の実施形態を図面に基づいて説明する。
図１は、本発明の実施形態に係る建具である引違い窓１および錠装置１０を示す側面図である。図２は、引違い窓１および錠装置１０を室内側から見た側面図である。図３および図４は、錠装置１０のクレセント錠１１を示す斜視図である。図５は、クレセント錠１１を示す分解斜視図である。図６(Ａ)，(Ｂ)は、クレセント錠１１の動作を示す断面図である。図７(Ａ)，(Ｂ)は、クレセント錠１１の中間部材１８を示す側面図である。
なお、本実施形態では引違い窓１を例示して説明するが、本発明の建具としては、片引き窓や上げ下げ窓であっても略同様の構成を有した錠装置１０が適用可能である。
【００１３】
図１および図２において、引違い窓１は、図示しない窓枠内部に開閉自在に支持された室内外一対の障子（室内側障子２および室外側障子３）を有して構成されている。障子は、上下左右の框を四周框組みした内部に、ガラスパネルを嵌め込んで構成されており、召合せ部の縦框である室内側障子２の内召合せ框４と、室外側障子３の外召合せ框５とが見込み方向に重なって閉じるようになっている。そして、引違い窓１は、内召合せ框４に固定されたクレセント錠１１と、外召合せ框５に固定された錠受け１２とで構成された錠装置１０によって施錠されるようになっている。
【００１４】
クレセント錠１１は、図３〜図５に示すように、内召合せ框４に固定される台座１３と、この台座１３に回動自在に支持され鎌錠１４と、この鎌錠１４を回動操作するための操作部としてのつまみ１５と、台座１３および鎌錠１４を覆うカバー部材（カバー部）１６と、台座１３および鎌錠１４を挟んでカバー部材１６の反対側（内召合せ框４側）に位置する副カバー部材（副カバー部）１７と、カバー部材１６と副カバー部材１７との間に設けられた中間部材１８とを有して構成されている。
台座１３は、図５に示すように、全体略コ字形に折り曲げ加工された金属板材からなり、２本の固定ビス１９によって内召合せ框４にビス止め固定するための２箇所のビス孔１３Ａと、錠受け１２を軸支する回動軸２０を挿通するための挿通孔１３Ｂとを有して形成されている。
【００１５】
鎌錠１４は、錠受け１２に係合する略半円弧形の係合部１４Ａと、この係合部１４Ａから延びてつまみ１５に連結される連結部１４Ｂとを有した金属製であり、係合部１４Ａの中心には回動軸２０に連結される連結孔１４Ｃが形成されている。そして、鎌錠１４は、係合部１４Ａが錠受け１２に係合する施錠位置（図１に実線で示すように、つまみ１５が上方にある位置）と、係合部１４Ａが錠受け１２に係合しない解錠位置（図１に二点鎖線で示すように、つまみ１５が下方にある位置）との間を回動可能に構成されている。このような鎌錠１４は、連結孔１４Ｃに挿通された回動軸２０を介して台座１３のコ字形内部に係合部１４Ａが設けられ、この台座１３のコ字形開口から連結部１４Ｂが突出するようになっている。そして、回動軸２０は、その両端部が台座１３の対向片に軸支されている。
【００１６】
副カバー部材１７は、台座１３のビス孔１３Ａ周辺部を挿通させる開口部１７Ａを２箇所に有して形成され、台座１３を内召合せ框４にビス止め固定することで台座１３と内召合せ框４との間に挟まれて固定されるようになっている。そして、副カバー部材１７には、カバー部材１６を軸支する一対の突起１７Ｂが形成されている。
カバー部材１６は、その内側上下２箇所が副カバー部材１７の突起１７Ｂに軸支されて回動自在に取り付けられている。すなわち、カバー部材１６は、図３および図６(Ａ)に示すように、台座１３および解錠位置にある鎌錠１４を覆う第１位置としての閉位置と、図４および図６(Ｂ)に示すように、室外側に開かれた第２位置としての開位置との間を開閉可能に構成されている。そして、カバー部材１６を閉じた閉位置において、カバー部材１６と副カバー部材１７との間には、隙間１６Ａが形成され、この隙間１６Ａを通して鎌錠１４の連結部１４Ｂが突出し、この隙間１６Ａに沿って鎌錠１４の連結部１４Ｂが回動するようになっている。
【００１７】
中間部材１８は、図７にも示すように、回動軸２０を挿通するための挿通孔１８Ａと、固定ビス１９を挿通するための２箇所の切欠き１８Ｂとを有して形成され、鎌錠１４と密接した状態で台座１３のコ字形内部に挟まれて配置されるようになっている。この中間部材１８は、カバー部材１６と副カバー部材１７との隙間１６Ａの内側に位置し、この隙間１６Ａを通して室内側から台座１３や回動軸２０等が見えないようになっている。
また、図４および図６に示すように、カバー部材１６の内側および中間部材１８には、それぞれ２箇所の互いに係合する係止突起１６Ｂ，１８Ｃが形成され、カバー部材１６を閉じた閉位置において、係止突起１６Ｂ，１８Ｃ同士が係合することで、カバー部材１６の開放が規制されるようになっている。
一方、係止突起１６Ｂ，１８Ｃ同士の係合を外してカバー部材１６を開位置に開いた状態において、固定ビス１９が室内側に露出されて操作可能になり、台座１３の着脱または位置調整作業ができるようになっている。
以上のカバー部材１６、副カバー部材１７、中間部材１８、およびつまみ１５は、互いに共通の樹脂材料から同一色かつ同一質感の外観を有して形成されている。
【００１８】
また、中間部材１８の挿通孔１８Ａ近傍には、図７に示すように、鎌錠１４側に突出しかつ弾性を有して突没移動可能な凸部１８Ｄが形成されている。そして、図５に示すように、鎌錠１４の連結孔１４Ｃ近傍には、中間部材１８の凸部１８Ｄに係止される凹部１４Ｄが連結孔１４Ｃを挟んで略対向する２箇所に形成されている。これらの凹部１４Ｄは、鎌錠１４が解錠位置にある場合に一方の凹部１４Ｄが凸部１８Ｄに係止され、鎌錠１４が施錠位置にある場合に他方の凹部１４Ｄが凸部１８Ｄに係止されるようになっている。すなわち、凸部１８Ｄおよび凹部１４Ｄは、解錠位置または施錠位置から容易に移動しないように鎌錠１４を位置決めするとともに、鎌錠１４を解錠位置または施錠位置まで回動操作した際にクリック感を付与するものである。このようなクリック感を付与したことにより、クレセント錠１１の操作性が良好になるとともに、鎌錠１４が解錠位置または施錠位置に正しく位置していることが利用者に認識できるようになっている。
【００１９】
このような本実施形態によれば、以下のような効果がある。
（１）すなわち、閉位置に位置する１つのカバー部材１６で台座１３の略全体を覆うことができるので、従来のビスカバーのように複数のビス位置を個々に覆う必要がなく、部品点数を削減することができる。さらに、カバー部材１６を開位置に移動させるだけで、複数の固定ビス１９を容易に操作することができ、クレセント錠１１の取り付けや取り外し、位置調整の作業性を向上させることができる。
【００２０】
（２）また、カバー部材１６によって台座１３や鎌錠１４が覆われているので、金属製の台座１３や鎌錠１４と樹脂製のカバー部材１６との質感や色が異なっていてもその違いが分からず、カバー部材１６の質感や色によってクレセント錠１１の外観を決定することができ、錠装置１０の意匠性を向上させることができる。また、鎌錠１４のような複雑な形状をした部材が見えなくなることで、窓全体の意匠性向上も図ることができる。
【００２１】
（３）さらに、カバー部材１６と副カバー部材１７との隙間１６Ａの寸法を、鎌錠１４の連結部１４Ｂが挿通できる程度に小さくしたことで、この隙間１６Ａを通してカバー部材１６内部の鎌錠１４や台座１３が一層見えにくくなって、意匠性をさらに向上させることができる。また、隙間１６Ａの内側に沿って中間部材１８を設けたことで、隙間１６Ａを通して内部を覗いた場合にも鎌錠１４や台座１３を中間部材１８で隠すことができる。
【００２２】
（４）また、全体略コ字形に形成された台座１３に鎌錠１４が挟まれて支持されていることで、複雑な形状の鎌錠１４がさらに見えにくくなるとともに、回動軸２０が鎌錠１４を挟んだ両側で台座１３に支持されるので、従来の回動軸のように片持ち状に支持される場合と比較して、台座１３の幅寸法や肉厚、回動軸２０の径寸法や長さ寸法を小さくすることができ、全体寸法がコンパクトで薄型かつ意匠性に優れたクレセント錠１１を構成することができる。
【００２３】
（５）さらに、クレセント錠１１の外面に露出するカバー部材１６、副カバー部材１７、操作部１５、および隙間１６Ａを通して見える可能性のある中間部材１８を共通の樹脂材料から同一色かつ同一質感に統一したことで、クレセント錠１１の外観意匠性を飛躍的に向上させることができる。
【００２４】
（６）また、カバー部材１６を閉じた閉位置において、中間部材１８の係止突起１８Ｃにカバー部材１６の係止突起１６Ｂが係合することで、カバー部材１６が不用意に開くことが防止でき、ビス操作が必要な時にだけ係止突起１６Ｂ，１８Ｃの係合を外してカバー部材１６を開位置に開くことができる。
【００２５】
なお、本発明は、前記各実施形態に限定されるものではなく、本発明の目的を達成できる他の構成等を含み、以下に示すような変形等も本発明に含まれる。
例えば、前記各実施形態においては、引違い窓１に錠装置１０を設けた例を示したが、本発明の建具はこのような引違い窓１に限られず、片引き窓や上げ下げ窓等であってもよい。また、錠装置は、引き違い形式の窓や戸以外にも適用可能であり、例えば、開き窓や縦辷り出し窓等のスイングタイプの窓や戸に設けてもよく、さらに窓や戸以外の開閉部材の施錠に本発明の錠装置を用いてもよい。
【００２６】
また、カバー部材１６や副カバー部材１７、操作部１５、中間部材１８は、樹脂製に限らず、金属製でもよく、また木製（天然木や再生木）であってもよい。さらに、カバー部材１６のみを樹脂製や木製とし、他の副カバー部材１７、操作部１５、中間部材１８をカバー部材１６と異なる材料から形成してもよく、またカバー部材１６と、副カバー部材１７、操作部１５、中間部材１８とを異なる質感や色に仕上げてもよい。
また、カバー部材１６は、回動自在に支持されたものに限らず、スライド自在に支持されていてもよく、さらに副カバー部材１７以外の台座１３や中間部材１８に支持されたものでもよい。さらに、カバー部材１６は、第１位置において中間部材１８に係止されていたが、これに限らず、台座１３や副カバー部材１７に係止されていてもよい。
【００２７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００２８】
【図１】本発明の実施形態に係る建具および錠装置を示す側面図である。
【図２】前記建具および錠装置を室内側から見た側面図である。
【図３】前記錠装置のクレセント錠を示す斜視図である。
【図４】前記クレセント錠を示す斜視図である。
【図５】前記クレセント錠を示す分解斜視図である。
【図６】(Ａ)，(Ｂ)は、前記クレセント錠の動作を示す断面図である。
【図７】(Ａ)，(Ｂ)は、前記クレセント錠の中間部材を示す側面図である。
【符号の説明】
【００２９】
２，３…障子、４…室内側の召合せ部である内召合せ框、５…室外側の召合せ部である外召合せ框、１０…錠装置、１１…クレセント錠、１２…錠受け、１３…台座、１４…鎌錠、１４Ｂ…連結部、１５…操作部であるつまみ、１６…カバー部であるカバー部材、１６Ａ…隙間、１７…副カバー部である副カバー部材、１８…中間部材、１９…固定ビス。
【図１】
2007070826.tif 000003
【図２】
2007070826.tif 000004
【図３】
2007070826.tif 000005
【図４】
2007070826.tif 000006
【図５】
2007070826.tif 000007
【図６】
2007070826.tif 000008
【図７】
2007070826.tif 000009